(57)【特許請求の範囲】
【請求項１】
伝送用光信号と監視制御用光信号とを光伝送路に波長分割多重してデータ通信をする光信号通信装置を備える波長分割多重システムにおいて、
上記光信号通信装置は、上記光伝送路の中継点に設置される中継装置であり、
上記波長分割多重システムは、上記中継装置を複数備えて、複数の中継装置により上記伝送用光信号と監視制御用光信号とを中継し、
上記複数の中継装置はそれぞれ、上記監視制御用光信号により伝送するデータのフレームとして同期転送モード（ＳＴＭ）のデータフォーマットを用いるＳＴＭ形式データ処理部を備え、
上記ＳＴＭ形式データ処理部は、上記監視制御用光信号により伝送するデータをＳＴＭ形式のデータにするＳＴＭ形式データ生成部を備え、 上記ＳＴＭ形式データ生成部は、上記監視制御用光信号により伝送するデータのフレームとして、光伝送路の障害を監視する光伝送路障害監視情報をマッピングする領域を有するフレームと、中継装置の監視制御に関わる中継装置監視制御情報をマッピングする領域を各々有する既に上記伝送用光信号と監視制御用光信号とを中継した中継装置の台数ｎ（ｎは１以上の整数）に対応するｎ個のフレームと、光伝送路を試験する試験データをマッピングする領域を有するフレームとの合計ｎ＋２個のフレームを１フレームとするマルチフレームを生成する
ことを特徴とする波長分割多重システム。
【請求項２】
上記マルチフレームが有する各フレームは、監視制御用光信号により伝送するデータを同期転送モード（ＳＴＭ）のデータフォーマットにあわせるフォーマットを構成しているセレクションオーバヘッド（ＳＯＨ）とペイロードとを有し、
上記ＳＴＭ形式データ生成部は、上記光伝送路障害監視情報をマッピングする領域を有するフレームのペイロードに上記光伝送路障害監視情報をマッピングすることと、上記中継装置監視制御情報をマッピングする領域を有するフレームのペイロードに上記中継装置監視制御情報をマッピングすることと、上記試験データをマッピングする領域を有するフレームのペイロードに上記試験データをマッピングすることとを行うマッピング部を備えた
ことを特徴とする請求項１記載の波長分割多重システム。
【請求項３】
上記各フレームのＳＯＨは、監視制御用光信号により伝送するデータをマッピングする位置を示すアドミニストレイティブユニット（ＡＵ）ポインタを有し、
上記マッピング部は、上記光伝送路障害監視情報をマッピングする領域を有するフレームのＳＯＨにあるアドミニストレイティブユニット（ＡＵ）ポインタで示す位置を基準にして、上記光伝送路障害監視情報を上記ペイロードにマッピングし、上記中継装置監視制御情報をマッピングする領域を有するフレームのＳＯＨにあるアドミニストレイティブユニット（ＡＵ）ポインタで示す位置を基準にして、上記中継装置監視制御情報を上記ペイロードにマッピングし、上記試験データをマッピングする領域を有するフレームのＳＯＨにあるアドミニストレイティブユニット（ＡＵ）ポインタで示す位置を基準にして、上記試験データをペイロードにマッピングするＡＵポインタ配置部を備えたことを特徴とする請求項２記載の波長分割多重システム。
【請求項４】
上記マッピング部は、上記光伝送路障害監視情報の先頭位置を示すデータを生成して、先頭位置を示すデータと上記光伝送路障害監視情報をペイロードにマッピングし、上記中継装置監視制御情報の先頭位置を示すデータを生成して、先頭位置を示すデータと中継装置監視制御情報をペイロードにマッピングし、上記試験データの先頭位置を示すデータを生成して、先頭位置を示すデータと上記試験データをペイロードにマッピングする先頭位置配置部を備えたことを特徴とする請求項２記載の波長分割多重システム。
【請求項５】
上記ＳＴＭ形式データ生成部は、上記中継装置監視制御情報の伝送誤りチェックコードを生成して上記中継装置監視制御情報に付加する伝送誤りチェックコード生成部を備えたことを特徴とする請求項１記載の波長分割多重システム。
【発明の詳細な説明】
【０００１】
【発明の属する技術分野】
本発明は、ＷＤＭ（Ｗａｖｅｌｅｎｇｔｈ  Ｄｉｖｉｓｉｏｎ  Ｍｕｌｔｉｐｌｅｘｉｎｇ：波長分割多重）システム等に適用される光中継装置の監視制御に関る情報通信をＳＴＭ（Ｓｙｎｃｈｒｎｏｕｓ  Ｔｒａｎｓｆｅｒ  Ｍｏｄｅ：同期転送モード）方式に適応したデータ構成にて実施するデータ伝送方式に関する。
【０００２】
【従来の技術】
ＩＴＵ−Ｔ（Ｉｎｔｅｒｎａｔｉｏｎａｌ  Ｔｅｌｅｃｏｍｍｕｎｉｃａｔｉｏｎ  Ｕｎｉｏｎ  Ｔｅｌｅｃｏｍｍｕｎｉｃａｔｉｏｎ  Ｓｅｃｔｏｒ：国際電気通信連合電気通信標準化部門）にて、データの多重化を行う際の一つの方法として、保守・運用の利便性を向上させてＳＤＨ（Ｓｙｎｃｈｒｏｎｕｏｓ  Ｄｉｇｉｔａｌ  Ｈｉｅｒａｒｃｈｙ：同期式デジタルハイアラーキ）を標準化し、国内の幹線系にＳＤＨ網として伝送路に適用されている。ＳＤＨは基本的には、ＩＳＤＮ（Ｉｎｔｅｇｒａｔｅｄ  Ｓｅｒｖｉｃｅｓ  Ｄｉｇｉｔａｌ  Ｎｅｔｗｏｒｋ）等のディジタル低次群のインタフェースを複数多重し遠隔との通信を図るために主に幹線系に導入されている方式である。
【０００３】
従来、ＳＴＭ方式の構成要素の一つであるＳＯＨ（Ｓｅｃｔｉｏｎ  ＯｖｅｒＨｅａｄ）（単に、ＯＨともいう）を利用し、伝送区間の障害監視や中継装置の監視制御を実施し、保守・運用の利便性に役立てている。
【０００４】
【発明が解決しようとする課題】
しかし、伝送路の区間の障害や中継装置の監視制御を行うに当たり、特に、波長分割多重伝送を行う装置における中継装置の増大化に伴い監視制御項目数が増加する中、従来からの上記ＯＨを利用した監視制御では、詳細な故障の特定が容易ではないという問題を生じる可能性がある。
【０００５】
本発明は、伝送路の区間の監視や中継装置の監視制御をＳＴＭ方式を適応することにより、従来からのＳＴＭ形式のＯＨをそのまま使用することで保守・運用の利便性を確保し、さらにＳＴＭ方式の構成要素の一つであるペイロードを利用することにより中継装置の監視制御の情報を効率的に収容し、高品質な光伝送路の障害監視並びに中継装置への監視制御に関る情報を伝達する監視制御データ伝送方式を提供することを目的とする。
【０００６】
【課題を解決するための手段】
この発明に係る伝送用光信号と監視制御用光信号とを光伝送路に波長分割多重してデータ通信をする光通信装置において、
上記監視制御用光信号により伝送するデータのフレームとして同期転送モード（ＳＴＭ）のデータフォーマットを用いるＳＴＭ形式データ処理部を備えたことを特徴とする。
【０００７】
また、この発明に係る光信号通信装置は、光伝送路の端部に設置される端局と光伝送路の中継点に設置される中継装置とのいずれかであり、
上記ＳＴＭ形式データ処理部は、監視制御情報をＳＴＭ形式のデータにするＳＴＭ形式データ生成部と、ＳＴＭ形式のデータから監視制御情報を取り出すＳＴＭ形式データ終端部とを備えたことを特徴とする。
【０００８】
また、この発明に係るＳＴＭ形式データ生成部は、光伝送路の障害を監視する光伝送路障害監視情報と、中継装置の監視制御に関わる中継装置監視制御情報とを同期転送モード（ＳＴＭ）のデータフォーマットにあわせるフォーマットを構成しているセレクションオーバヘッド（ＳＯＨ）とペイロードとのうちペイロードにマッピングするマッピング部とを備えたことを特徴とする。
【０００９】
また、この発明に係るマッピング部は、ＳＯＨにあるアドミニストレイティブユニット（ＡＵ）ポインタで示す位置を基準にして、フォーマット部によりフォーマットされた光伝送路障害監視情報と中継装置監視制御情報とをマッピングするＡＵポインタ配送部を備えたことを特徴とする。
【００１０】
また、この発明に係るマッピング部は、監視制御情報の先頭位置を示すデータを生成して先頭位置を示すデータと光伝送路障害監視情報と中継装置監視制御情報をペイロードにマッピングする先頭位置配置部を備えたことを特徴とする。
【００１１】
また、この発明に係るＳＴＭ形式データ生成部は、監視制御情報の伝送誤りチェックコードを生成して監視制御情報に付加する伝送誤りチェックコード生成部を備えたことを特徴とする。
【００１２】
また、この発明に係るＳＴＭ形式データ生成部は、光伝送路を試験する試験データを生成して監視制御情報に付加する試験データ生成部を備えたことを特徴とする。
【００１３】
【発明の実施の形態】
実施の形態１．
本発明の監視制御データ伝送方式の実施の形態について図面を参照して説明する。図１は、ＷＤＭシステムの構成図である。図１において、端局２０は光伝送路２２の一端に設置される。中継装置２１は光伝送路２２の中継点に設置される。
図２は、光伝送路内のイメージ図である。図２に示すように、「伝送用光信号２３」と「監視制御用光信号２４」は端局２０並びに中継装置２１にて多重／分割され、光伝送路２２内を波長分割多重伝送する。
【００１４】
監視制御用光信号２４は、端局２０と複数の中継装置２１との間での光伝送路状態と、中継装置２１に関わる監視制御情報とで構成される。光伝送路２２は、伝送用光信号２３と監視制御用光信号２４とを複数の中継装置２１に伝送する。２１は、光伝送路２２の中継点に設置され、端局２０からの光信号の中継を行う。
【００１５】
図３は、ＳＴＭ方式のデータフォーマットを示す図である。ＳＴＭ形式のデータフォーマットの構成要素として、ＳＯＨ部分とペイロード部分と大きく二つの領域に別れる。各符号の意味は、以下の通りである。
１：ＲＳＯＨ（Ｒｅｇｅｎｅｒａｔｏｒ  Ｓｅｃｔｉｏｎ  Ｏｖｅｒ  Ｈｅａｄ）
２：ＭＳＯＨ（Ｍｕｌｔｉｐｌｅｘ  Ｓｅｃｔｉｏｎ  Ｏｖｅｒ  Ｈｅａｄ）
３：ＡＵポインタ指定領域
４：ＡＵポインタ位置（ＰＯＨ構成領域のＪ１バイト）
５：ＰＯＨ（Ｐａｔｈ  Ｏｖｅｒ  Ｈｅａｄ）
６：ペイロード（Ｐａｙ  Ｌｏａｄ）
７：光伝送路２２の障害監視情報領域
８：中継装置２１の監視制御情報領域
９ａ：マッピング
【００１６】
端局２０と複数の中継装置２１との間での光伝送路状態、並びに中継装置２１の監視制御に関わる情報を構成要素とした監視制御用光信号２４のデータフォーマットを作成するにあたり、光伝送路２２の障害を監視する光伝送路障害監視情報領域７と中継装置２１の監視制御に関わる情報である中継装置監視制御情報領域８とを夫々設ける。また、尚且つ、夫々の領域を連続した領域と捉え（領域を物理的に連続させて）、ＳＴＭ方式のデータフォーマットの構成要素の一つであるペイロード６内にマッピングする。この際に、ＡＵポインタ位置４を基準にマッピング９ａする。上記データフォーマットは、上記のようにマッピングした監視制御データ伝送方式に適用するＳＴＭ方式のデータ構造になっている。９ａはＳＴＭフレームのペイロード６内のマッピングを表す。ここでＡＵポインタは、ＳＴＭ形式のデータフォーマットに収容／解析を容易にするために、あるデータ単位毎にアドレス（ポインタ）を付加するが、その際のアドレスのことである。また、マッピングは、光伝送路障害監視情報領域７と中継装置監視制御情報領域８とを合わせた領域をいう。また、図３の光伝送路障害監視情報領域７と中継装置装置監視制御情報領域８とは、監視制御用光信号２４のデータ構成を示している。
図４は中継装置２１のブロック図である。光伝送路２２から入力された光信号は、光信号分割部３０において伝送用光信号２３と監視制御用光信号２４に分割される。伝送用光信号２３は、光信号増幅部３４において増幅され、光信号多重部３１に入力される。一方光信号分割部３０で分割された監視制御用光信号２４は、ＳＴＭ形式データ処理部３５に入力される。ＳＴＭ形式データ処理部３５のＳＴＭ形式データ終端部３２において、監視制御用光信号２４が終端される。一方、ＳＴＭ形式データ処理部３５のＳＴＭ形式データ生成部３３においてＳＴＭ形式のデータが作成され監視制御用光信号２４として光信号多重部３１に出力される。光信号多重部３１では、伝送用光信号２３と監視制御用光信号２４を多重化して光伝送路２２に出力する。
図５は、ＳＴＭ形式データ処理部３５のブロック図である。
ＳＴＭ形式データ生成部３３のフォーマット部５１は、光伝送路２２の障害を監視する光伝送路２２の障害監視情報７と中継装置２１の監視制御に関わる中継装置監視制御情報８とをＳＴＭのデータフォーマットに編集するフォーマット部である。マッピング部５２は、フォーマット部でフォーマットされたデータをペイロード６にマッピングするものである。マッピング部５２には、ＡＵポインタ配置部５５と先頭位置配置部５６との何れか或いは両方がある。ＡＵポインタ配置部５５は、ＳＯＨのＰＯＨのＪ１バイトにあるＡＵポインタで示す位置にフォーマットされたデータをマッピングするものである。一方、先頭位置配置部５６は、後述する実施の形態５以降で詳しく説明するが、ＡＵポインタを使わずにフォーマットされたデータの先頭に他のデータと識別することが可能なユニークな番号を付加して、データをペイロード６にマッピングするものである。ＳＵＭ（ＳＵＭｍｒｙ）チェックコード生成部５３（伝送誤りチェックコード生成部の一例である）は、実施の形態２において述べるがフォーマットされたデータの誤り検出或いは誤り訂正を行うチェックコードを生成するものである。試験データ生成部５４は、実施の形態３で述べるが、光伝送路２２の品質をチェックするために試験データを生成するものである。
【００１７】
ＳＴＭ形式データ終端部３２の取得部６１は、ペイロード６にマッピングされている監視制御情報を取得するものである。ＳＵＭチェックコード確認部６２は、監視制御情報に誤り検出或いは、誤り定提要のチェックコードが付加されている場合に誤りが合ったかどうか確認するものである。試験データ確認部６３は、監視制御情報と共に試験データが転送されてきた場合にその試験データを取得し、評価するものである。
【００１８】
図４及び図５に述べた各部の動作は、ハードウェアで実現することもできるし、また、ソフトウェアで実現することもできるし、また、ハードウェアとソフトウェアの組み合わせで実現することも可能である。ソフトウェアで実現する場合には、前述した各部の機能を実施するプログラムが中央処理装置によって読み出され実行されることにより、前述した機能を発揮する。プログラムは磁気ディスク装置や光ディスク装置やリードオンリーメモリ等の記録媒体に記録されているものである。なお、図４においては、中継装置２１の構成を示したが、端局２０の場合も中継装置２１と同じ構成である。
ここで、波長分割多重伝送装置における中継装置２１への監視項目並びに制御項目は、従来に比べ増加し、より詳細な情報へと変化している。しかし、従来のＯＨは、伝送路区間の状態監視及び中継装置２１自身の監視制御項目を収容できるほどの領域を持ち合わせていない。そこで、ＳＴＭ方式のデータフォーマットの構成要素の一つであるペイロード６を用いることにより、多くの情報を収容できるようにしたことが特徴である。そして、その情報をＡＵポインタで示すことにより特定しているのが特徴である。
但し、ＳＴＭ形式の１フレームの領域にも、上限があるので光伝送路障害監視情報領域７と中継装置監視制御情報領域８とを合わせた領域にも上限サイズがある。
【００１９】
実施の形態２．
図６は、実施の形態２を示す図である。前記監視制御用光信号２４のデータフォーマットを作成するにあたり、フォーマット部５１が光伝送路２２の障害を監視する光伝送路障害監視情報領域７と中継装置２１の監視制御に関わる情報の中継装置監視制御情報領域８とを夫々設け、且つ、夫々の領域を連続した領域と捉え、ＡＵポインタ配置部５５がＳＴＭ方式のデータフォーマットの構成要素の一つであるペイロード６内にマッピングする。この際に、例えば、夫々の領域を総括したＳＵＭチェックコードをＳＵＭチェックコード生成部５３により生成して前記連続した領域であるマッピング９ａの最後尾の領域に付加し、ＡＵポインタで指定される位置を基準にマッピング９ｂする。本実施の形態２のデータフォーマットは、上記のようにマッピングした監視制御データ伝送方式に適用するＳＴＭ方式のデータ構造である。
ここで、ＳＵＭとは、ある領域にあるデータの総和値をいう。データの送信側で、ＳＵＭチェックコードなどを付加し、データの受信側にて付加されたＳＵＭチェックコードが正しいかを判定する機能を持つことで「情報の保護」が図れ、データの正当性を確認することが可能となる。誤ったデータが受信されたと判定した場合は、そのデータの破棄などを行うこと等で、誤ったデータでの処理を防ぐことになる。「情報の保護」というのは言い換えれば、「データ（情報）の正当性を確認してから処理する」ということである。ＳＵＭチェックコードを最後尾に付加する理由は、データの先頭から最後尾までを保護するためである。データの途中に付加する場合は、その分保護する領域が狭まる。また、最後尾に付加するのと同じ領域だけデータを保護する場合は、途中に付加する分だけよけいに領域が必要になるので、最後尾に付加する場合の方が効率的になる。従って実施の形態２では、ＳＵＭチェックコードを最後尾に付加することが特徴である。ＳＵＭチェックコードを付加するのは、端局２０及び中継装置２１の監視制御用光信号２４を生成するフォーマット部である。
なお、光伝送路障害監視情報領域７と中継装置監視制御情報領域８との記憶される順はどのような順でもよい。
また、ＳＴＭ形式の１フレームの領域にも、上限があるので光伝送路障害監視情報領域７と中継装置監視制御情報領域８とを合わせた領域に上限サイズがある。
【００２０】
実施の形態３．
図７は、実施の形態３を示す図である。前記監視制御用光信号２４のデータフォーマットを作成するにあたり、フォーマット部５１が光伝送路２２の障害を監視する光伝送路障害監視情報領域７と中継装置２１の監視制御に関わる情報の中継装置監視制御情報領域８と試験データ生成部５４により生成された前記端局２０と中継装置２１間の導通状態の確認等光伝送路２２の品質状態を監視する為の試験データのための試験データ領域１１を夫々設け、且つ、ＡＵポインタ配置部５５が夫々の領域を連続した領域と捉え、ＳＴＭ方式のデータフォーマットの構成要素の一つであるペイロード６内にマッピングする。この際に、ＡＵポインタ４で指定される位置を基準にマッピング９ｃし、且つ、１フレーム内で収容可能な構成とした。本実施の形態３のデータフォーマットは、上記構成とした監視制御データ伝送方式に適用するＳＴＭ方式のデータ構造である。
光伝送路２２の品質状態を監視する試験データは従来からあるが、連続した領域には記憶されていない。従って、実施の形態３では、試験データを連続した領域に記憶することが、特徴である。
なお、光伝送路障害監視情報領域７と中継装置監視制御情報領域８と試験データ領域１１との記憶される順はどのような順でもよい。また、ＳＴＭ形式の１フレームの領域にも上限があるので光伝送路障害監視情報領域７と中継装置監視制御情報領域８と試験データ領域１１を合わせた領域には上限がある。
【００２１】
実施の形態４．
図８は、実施の形態４を示す図である。前記監視制御用光信号２４のデータフォーマットを作成するにあたり、フォーマット部５１が光伝送路２２の障害を監視する光伝送路障害監視情報領域７と中継装置２１の監視制御に関わる情報の中継装置監視制御情報領域８と前記端局２０と中継装置２１間の導通状態の確認等光伝送路２２の品質状態を監視する為の試験データ領域１１を夫々設け、ＡＵポインタ配置部５５がＳＴＭ方式のデータフォーマットの構成要素の一つであるペイロード６内にマッピングする際に、ＡＵポインタで指定される位置を基準にマッピング９ｄし、且つ、１フレーム内で１領域を収容可能な構成とする。即ち、例えば、Ｎフレーム番目のフレームに光伝送路２２の障害を監視する情報領域をマッピングし、Ｎ＋１番目以降のフレームに（１番目以降の）中継装置２１の監視制御に関る情報領域をそれぞれマッピングし、Ｎ＋ｍ＋１番目（ｍは中継装置２１合計数）に試験データ領域をマッピングし、合計ｍ＋２フレームを１フレームとしたマルチフレームを構成した監視制御データ伝送方式に適用するＳＴＭ方式のデータ構造である。
【００２２】
実施の形態５．
図９は、実施の形態５を示す図である。この実施の形態以降においてはＡＵポインタを用いず、代わりに先頭位置を表すデータを用いてマッピングする場合について説明する。前記監視制御用光信号２４のデータフォーマットを作成するにあたり、フォーマット部５１が光伝送路２２の障害を監視する光伝送路障害監視情報領域７と中継装置２１の監視制御に関る情報の中継装置監視制御情報領域８とを夫々設け、且つ、先端位置部５６が夫々の領域を連続した領域とし、更に、前記連続したデータ領域の先頭に他のデータと識別可能なユニークな番号を付加し先頭位置を表すデータ領域１２ａとすることでデータの先頭位置を把握することが可能になる。データ領域をマッピングする方式においては、前記記載のデータの先頭を表すデータ領域を基準にＳＴＭ形式のデータを生成する。即ち、ペイロード６内の任意の位置にデータ領域をマッピング９ｅすることが可能になり、効率的且つ柔軟にペイロード内のデータ領域を使用可能な監視制御データ伝送方式に適用するＳＴＭ方式のデータ構造である。
ここで、先頭位置を表すデータ領域によって伝送されるデータは、ペイロード６の他のデータとは必ず異なるデータパターンを持つものとする。例えば、”０１０１０１０１０１０１０１０１”等のビットパターンを用いる。
先頭位置を表すデータ領域の内容は、ユニークな数値とアドレスを付加してもよい。図９の例では、先頭位置サイズを表す領域、光伝送路障害監視情報領域７、中継装置監視制御情報領域８の各領域を固定とし、夫々、データ先頭位置からカウントすることで、各領域を判別することが可能になる。従って、各領域サイズを固定にすることが前提条件となる。
【００２３】
実施の形態６．
図１０は、実施の形態６を示す図である。前記監視制御用光信号２４のデータフォーマットを作成するにあたり、フォーマット部５１が光伝送路２２の障害を監視する光伝送路障害監視情報領域７と中継装置２１の監視制御に関る情報の中継装置監視制御情報領域８とを夫々設け、更に、ＡＵポインタ配置部５５が前記夫々のデータ領域の先頭にユニークな番号を付加し、先頭位置を表すデータ領域１２ｂ、１２ｃとすることで夫々のデータの先頭位置を把握することが可能になる。ＡＵポインタ配置部５５がデータ領域をマッピングする方式においては、前記データの先頭を表すデータ領域１２ａ，１２ｂを基準にＳＴＭ形式のデータを１フレーム内で生成する。従って、必ずしも夫々のデータ領域が連続する必要がなくなり、ペイロード６内のデータ領域の任意の位置に効率的且つ柔軟にマッピング９ｆ可能な監視制御データ伝送方式に適用するＳＴＭ方式のデータ構造である。
【００２４】
実施の形態７．
図１１は、実施の形態７を示す図である。前記監視制御用光信号２４のデータフォーマットを作成するにあたり、フォーマット部５１が光伝送路２２の障害を監視する光伝送路障害監視情報領域７と中継装置２１の監視制御に関る情報の中継装置監視制御情報領域８とを夫々設け、更に、ＡＵポインタ配置部５５が前記夫々のデータ領域の先頭にユニークな番号を付加し、先頭位置を表すデータ領域１２ｂ、１２ｃとすることで夫々のデータの先頭位置を把握することが可能になる。ＡＵポインタ配置部５５がデータ領域をマッピングする方式においては、前記データの先頭を表す領域１２ｂ，１２ｃを基準にＳＴＭ形式のデータを生成する。１フレーム内で１領域を収容可能な構成とし、即ち、例えば、Ｎフレーム番目のフレームに光伝送路２２の障害を監視する情報領域をマッピングし、Ｎ＋１番目以降のフレームに（１番目以降の）中継装置２１の監視制御に関る情報領域をマッピングし、合計ｍ＋１フレーム（ｍは中継装置２１合計数）を１フレームとしたマルチフレームを構成した監視制御データ伝送方式に適用するＳＴＭ方式のデータ構造である。
【００２５】
実施の形態８．
図１２は、実施の形態８を示す図である。前記監視制御用光信号２４のデータフォーマットを作成するにあたり、フォーマット部５１が光伝送路２２の障害を監視する光伝送路障害監視情報領域７と中継装置２１の監視制御に関る情報の中継装置監視制御情報領域８とを夫々設け、且つ、ＡＵポインタ配置部５５が夫々の領域を連続した領域とし、更に、前記連続したデータ領域の先頭にユニークな番号を付加し、先頭位置を表すデータ領域１２ａとすることでデータの先頭位置を把握することが可能になる。又、夫々の領域を総括したＳＵＭチェックコード１０ｂを前記連続した領域の最後尾に付加する。又、ＡＵポインタ配置部５５がデータ領域をマッピングする方式においては、前記のデータの先頭を表すデータ領域を基準にＳＴＭ形式のデータを生成する。即ち、ペイロード６内の任意の位置にデータ領域をマッピング９ｈすることが可能になり、効率的且つ柔軟にペイロード６内のデータ領域を使用可能な監視制御データ伝送方式に適用するＳＴＭ方式のデータ構造である。
【００２６】
実施の形態９．
図１３は、実施の形態９を示す図である。前記監視制御用光信号２４のデータフォーマットを作成するにあたり、フォーマット部５１が光伝送路２２の障害を監視する光伝送路障害監視情報領域７と中継装置２１の監視制御に関わる情報の中継装置監視制御情報領域８と前記端局２０と中継装置２１間の導通状態の確認等光伝送路２２の品質状態を監視する為の試験データ領域１１とを夫々設け、更に、ＡＵポインタ配置部５５が夫々のデータ領域の先頭にユニークな番号を付加し、先頭位置を表すデータ領域１２ｂ，１２ｃ，１２ｄと１２ｂ、１２ｃ、１２ｄすることでデータの先頭位置を把握することが可能になる。
又、データ領域をマッピングする方式においては、前記記載のデータの先頭を表すデータ領域を基準にＳＴＭ形式のデータを１フレーム内に生成する。即ち、ペイロード６内の任意の位置にデータ領域をマッピング９ｉすることが可能になり、効率的且つ柔軟にペイロード６内のデータ領域を使用可能監視制御データ伝送方式に適用するＳＴＭ方式のデータ構造である。
【００２７】
実施の形態１０．
図１４は、実施の形態１０を示す図である。前記監視制御用光信号２４のデータフォーマットを作成するにあたり、フォーマット部５１が光伝送路２２の障害を監視する光伝送路障害監視情報領域７と中継装置２１の監視制御に関る情報の中継装置監視制御情報領域８と前記端局２０と中継装置２１間の導通状態の確認等光伝送路２２の品質状態を監視する為の試験データ領域１１を夫々設け、更に、ＡＵポインタ配置部５５が夫々のデータ領域の先頭にユニークな番号を付加し、先頭位置を表すデータ領域を１２ｂ，１２ｃ，１２ｄとすることでデータの先頭位置を把握することが可能になる。又、ＡＵポインタ配置部５５がデータ領域をマッピングする方式においては、前記データの先頭位置を表すデータ領域１２ｂ，１２ｃ，１２ｄを基準にＳＴＭ形式のデータを生成する。且つ、１フレーム内で１領域を収容可能な構成とする。即ち、例えば、Ｎフレーム番目のフレームに光伝送路２２の障害を監視する情報領域をマッピングし、Ｎ＋１番目以降のフレームに（１番目以降の）中継装置２１の監視制御に関る情報領域をマッピング９ｊし、Ｎ＋ｍ＋１番目（ｍは中継装置２１合計数）に試験データ領域をマッピングし、合計ｍ＋２フレームを１フレームとしたマルチフレームを構成した監視制御データ伝送方式に適用するＳＴＭ方式のデータ構造である。
【００２８】
以上のように、実施の形態１、２、３、４に記載の方式は、伝送用光信号２３と中継装置２１に関る監視制御情報を複数の中継装置２１に伝送するための監視制御用光信号２４を波長分割多重伝送を行う光伝送路２２の一端に設置される端局２０と、光伝送路２２の中継点に設定され端局２０からの光信号の中継を行う中継装置２１とを備え、端局２０と複数の中継装置２１との光伝送路２２状態並びに中継装置２１への監視制御に関る情報を構成要素とした監視制御用光信号２４のデータフォーマットを作成するにあたり、保守・運用の利便性のあるＳＴＭ形式に適応させ、中継装置２１の数量が増加することに伴う情報の増加をＳＴＭ形式を踏襲し利便性を維持しつつ、新たに、ＳＴＭ形式のデータフォーマットの構成要素の一つであるペイロード６内にマッピングすることを特徴とする。ペイロード６内には、光伝送路２２の障害監視の情報及び複数の中継装置２１の監視制御の情報領域を夫々設け、ＡＵポインタで示される位置を基準にマッピングしＳＴＭ形式のフレームを生成することを特徴とした監視制御データ伝送方式である。
【００２９】
以上のように実施の形態２と８に記載の方式は監視制御データ伝送方式において、前記領域以外に、ＳＵＭチェックコード等を付加する領域を前記ペイロード内に別途設けることで光伝送路２２の障害監視情報並びに中継装置２１の監視制御に関わる情報を保護し伝送データの信頼性を向上させることを特徴とした監視制御データ伝送方式である。
【００３０】
以上のように実施の形態３、４、９、１０に記載の方式は、実施の形態１に記載の監視制御データ伝送方式において、前記領域以外に、前記端局２０と中継装置２１間の導通状態の確認等光伝送路２２の品質状態を監視する為の試験データをマッピングする領域を別途設けることを特徴とした監視制御データ伝送方式である。
【００３１】
実施の形態５、６、７、８、９、１０に記載の方式は、光伝送路２２の障害監視情報領域並びに複数の中継装置２１の監視制御に関わる情報領域を分け尚且つ連続する領域とし、その先頭を表すデータ領域を別途設けることを特徴とする。又、前記記載の夫々のデータ領域をマッピングする方式においては、前記記載のデータの先頭を表すデータ領域を基準にＳＴＭ形式のデータを生成することになり、即ち、ペイロード６内の任意の位置にデータ領域をマッピングすることが可能になり、効率的にペイロード６内のデータ領域を使用可能とすることを特徴とした監視制御データ伝送方式である。
【００３２】
実施の形態８と５に記載の方式は、監視制御データ伝送方式において、光伝送路２２の障害監視情報領域並びに複数の中継装置２１の監視制御に関る情報領域を分け尚且つ連続する領域とし、その先頭を表すデータ領域を設け、又、最後尾に、ＳＵＭチェックコード等を付加する領域を別途設け、記載のデータの先頭位置を表すデータ領域を別途設けることを特徴とする。又、前記記載の夫々のデータ領域をマッピングする方式においては、前記記載のデータの先頭を表すデータ領域を基準にＳＴＭ形式のデータを生成することになり、即ち、ペイロード６内の任意の位置に先頭位置を表すデータ領域とデータ領域とをマッピングすることが可能になり、効率的にペイロード６内のデータ領域を使用可能とし、そのデータ領域には、光伝送路２２の障害監視情報並びに中継装置２１の監視制御に関わる情報を保護し伝送データの信頼性を向上させることを特徴とした監視制御データ伝送方式である。
【００３３】
実施の形態６、９、１０、に記載の方式は、監視制御データ伝送方式において、光伝送路２２の障害監視情報領域並びに複数の中継装置２１の監視制御に関る情報領域を分け尚且つ連続する領域とし、その先頭を表すデータ領域を別途設けることを特徴とする。更に、前記記載の光伝送路２２の障害監視情報領域並びに複数の中継装置２１の監視制御に関る情報領域以外に、前記端局２０と中継装置２１間の導通状態の確認等光伝送路２２の品質状態を監視する為の試験データの領域を別途設けることを特徴とする。前記記載の夫々のデータ領域をマッピングする方式においては、前記記載のデータの先頭を表すデータ領域を基準にＳＴＭ形式のデータを生成することになり、即ち、ペイロード６内の任意の位置にデータ領域をマッピングすることが可能になり、効率的にペイロード６内のデータ領域を使用可能とし、そのデータ領域には、光伝送路２２の障害監視、複数の中継装置２１の監視制御に関る情報並びに中継装置２１間の監視制御用パスの品質を監視することを特徴とした監視制御データ伝送方式である。
【００３４】
【発明の効果】
以上のように、この発明によれば従来から使用されている保守・運用の利便性のあるＳＴＭ形式のデータ構造を踏襲しつつ、且つ、光伝送路２２の障害監視や中継装置２１の監視制御に関る情報伝達を可能にするため、信頼性の高い制御監視を行うことが可能な効果がある。
【００３５】
また、光伝送路２２の障害監視情報と中継装置２１の監視制御情報をＳＴＭ形式のデータ構成をするために、ＡＵポインタを基準としたマッピングを行うことができる。
【００３６】
また、光伝送路２２の障害監視情報と中継装置２１の監視制御情報に対し、そのデータの先頭位置が判るようにユニークな番号を付加し、そのデータの先頭位置を基準にＳＴＭ形式のデータを生成することができる。
【００３７】
また、光伝送路２２の障害監視情報と中継装置２１の監視制御情報にＳＵＭチェックコードを付加しデータの信頼性を向上させることができる。
【００３８】
また、光伝送路２２の障害監視情報と中継装置２１の監視制御情報、更に、試験データ用の領域を設け、光伝送路２２の品質状態の監視をすることができる。
【図面の簡単な説明】
【図１】  ＷＤＭシステムの構成図。
【図２】  光伝送路内のイメージ図。
【図３】  ＳＴＭ方式のデータフォーマットを示す図。
【図４】  中継装置のブロック図。
【図５】  ＳＴＭ形式データ処理部のブロック図。
【図６】  実施の形態２を示す図。
【図７】  実施の形態３を示す図。
【図８】  実施の形態４を示す図。
【図９】  実施の形態５を示す図。
【図１０】  実施の形態６を示す図。
【図１１】  実施の形態７を示す図。
【図１２】  実施の形態８を示す図。
【図１３】  実施の形態９を示す図。
【図１４】  実施の形態１０を示す図。
【符号の説明】
９ｂ，９ｃ，９ｄ，９ｅ，９ｆ，９ｇ，９ｈ，９ｉ，９ｊ  マッピング、１０ａ  ＳＵＭチェックコード領域、１１  試験データ領域、１２ａ，１２ｂ，１２ｃ，１２ｄ  データ領域。
【図１】
0003853610.tif 000002
【図２】
0003853610.tif 000003
【図３】
0003853610.tif 000004
【図４】
0003853610.tif 000005
【図５】
0003853610.tif 000006
【図６】
0003853610.tif 000007
【図７】
0003853610.tif 000008
【図８】
0003853610.tif 000009
【図９】
0003853610.tif 000010
【図１０】
0003853610.tif 000011
【図１１】
0003853610.tif 000012
【図１２】
0003853610.tif 000013
【図１３】
0003853610.tif 000014
【図１４】
0003853610.tif 000015